(57)【要約】【課題】  ユーザがされる情報に飽きを感じにくい情報呈示装置を提供すること。【解決手段】  ユーザの身体状態または精神状態を示す情報としての個人情報を記憶する第１の記憶手段（ＤＢサーバ装置１１）と、個人情報に所定の処理を施すことにより当該ユーザの健康状態に関する結果を得るための処理情報を記憶する第２の記憶手段（ＤＢサーバ装置１１）と、処理情報による処理の結果に応じたアドバイス情報を記憶する第３の記憶手段（ＤＢサーバ装置１１）と、所定のユーザに関する個人情報を第１の記憶手段から取得する取得手段（制御サーバ装置１０）と、取得手段によって取得された個人情報に処理情報を適用することにより所定の結果を得る処理手段（制御サーバ装置１０）と、処理手段によって得られた結果に対応するアドバイス情報を第３の記憶手段から取得してユーザに呈示する呈示手段（制御サーバ装置１０）と、を有する。【選択図】  図１
2006011494.tif 000002
【特許請求の範囲】
【請求項１】
ユーザの身体状態または精神状態を示す情報としての個人情報を記憶する第１の記憶手段と、
上記個人情報に所定の処理を施すことにより当該ユーザの健康状態に関する結果を得るための処理情報を記憶する第２の記憶手段と、
上記処理情報による処理の結果に対応したアドバイス情報を記憶する第３の記憶手段と、
所定のユーザに関する個人情報を上記第１の記憶手段から取得する取得手段と、
上記取得手段によって取得された個人情報に上記処理情報を適用することにより所定の結果を得る処理手段と、
上記処理手段によって得られた結果に対応するアドバイス情報を上記第３の記憶手段から取得してユーザに呈示する呈示手段と、
を有することを特徴とする健康管理支援装置。
【請求項２】
前記アドバイス情報は、所定の疾病に罹患する可能性が高いことを示す情報と、それを回避するための方策を示す情報であることを特徴とする請求項１記載の健康管理支援装置。
【請求項３】
前記アドバイス情報は、所定の疾病に罹患する可能性の高低を示す情報をさらに有することを特徴とする請求項２記載の健康管理支援装置。
【請求項４】
前記アドバイス情報は、前記回避するための方策に関連する商品または役務に関する情報を有していることを特徴とする請求項２記載の健康管理支援装置。
【請求項５】
前記商品または役務に関する情報は、当該商品または役務に関するホームページへのリンク情報であることを特徴とする請求項４記載の健康管理支援装置。
【請求項６】
前記個人情報は、ユーザの嗜好を示す情報をさらに有し、
前記処理手段は、上記嗜好を示す情報を参照して、ユーザの嗜好に適合しないアドバイス情報については呈示対象から除外することを特徴とする請求項１記載の健康管理支援装置。
【請求項７】
前記処理情報は、前記個人情報から罹患する可能性がある疾病を導き出す情報であることを特徴とする請求項１記載の健康管理支援装置。
【請求項８】
前記処理情報は、所定の単位で変更することが可能であることを特徴とする請求項７記載の健康管理支援装置。
【請求項９】
前記個人情報のうち、所定の情報については第三者も閲覧可能とし、所定の情報については閲覧不能としていることを特徴とする請求項１記載の健康管理支援装置。
【請求項１０】
前記個人情報を入力するための入力画面を表示させる入力画面表示手段をさらに有し、
前記入力画面を表示するためのデータは表形式のデータを有していることを特徴とする請求項１記載の健康管理支援装置。
【請求項１１】
前記処理情報は、表形式のデータを有していることを特徴とする請求項１記載の健康管理支援装置。
【請求項１２】
前記アドバイス情報は、表形式のデータを有していることを特徴とする請求項１記載の健康管理支援装置。
【請求項１３】
所定のユーザの身体状態または精神状態を示す情報としての個人情報を記憶装置から取得し、
上記個人情報に所定の処理を施すことにより当該ユーザの健康状態に関する結果を得るための処理情報を上記個人情報に適用して処理し、
上記処理情報による処理の結果に対応したアドバイス情報を記憶装置から取得して呈示する、
ことを特徴とする健康管理支援方法。
【請求項１４】
ユーザの身体状態または精神状態を示す情報としての個人情報を記憶する第１の記憶手段、
上記個人情報に所定の処理を施すことにより当該ユーザの健康状態に関する結果を得るための処理情報を記憶する第２の記憶手段、
上記処理情報による処理の結果に対応したアドバイス情報を記憶する第３の記憶手段、
所定のユーザに関する個人情報を上記第１の記憶手段から取得する取得手段と、
上記取得手段によって取得された個人情報に上記処理情報を適用することにより所定の結果を得る処理手段、
上記処理手段によって得られた結果に対応するアドバイス情報を上記第３の記憶手段から取得してユーザに呈示する呈示手段、
としてコンピュータを機能させることを特徴とするコンピュータ読み取り可能な健康管理支援用プログラム。
【請求項１５】
ユーザの身体状態または精神状態を示す情報としての個人情報を記憶する第１の記憶手段と、
上記個人情報に所定の処理を施すことにより当該ユーザの健康状態に関する結果を得るための処理情報を記憶する第２の記憶手段と、
上記処理情報による処理の結果に対応したアドバイス情報を記憶する第３の記憶手段と、を有する第１のサーバ装置と、
所定のユーザに関する個人情報を上記第１の記憶手段から取得する取得手段と、
上記取得手段によって取得された個人情報に上記処理情報を適用することにより所定の結果を得る処理手段と、
上記処理手段によって得られた結果に対応するアドバイス情報を上記第３の記憶手段から取得してユーザに呈示する呈示手段と、を有する第２のサーバ装置と、
を有することを特徴とする健康管理支援システム。
【発明の詳細な説明】
【技術分野】
【０００１】
本発明は、健康管理支援装置、健康管理支援方法、健康管理支援用プログラム、および、健康管理支援システムに関する。
【背景技術】
【０００２】
近年、健康に対する意識が一層の高まりを見せており、それに呼応するように、健康管理に対する様々なシステムや手法が提案されている。
【０００３】
例えば、特許文献１に記載する管理システムでは、ユーザの食事のメニューに関する情報を、社員食堂のＰＯＳ（Point of Sale）システムから収集し、一元的に管理することにより、各ユーザの健康管理を効率的に行うシステムが提案されている。
【０００４】
【特許文献１】特開２００２−３３４１５８号公報（特許請求の範囲、要約書）
【発明の開示】
【発明が解決しようとする課題】
【０００５】
ところで、特許文献１に示す技術によって得られるアドバイスは画一的であり、個々のユーザの嗜好を反映したものとはなっていない。
【０００６】
また、健康に関する知識は、日々深まりを見せており、新たな知見が毎日のように得られていることから、これらの新たな知見に対応するべく、柔軟なシステム構成が求められる。しかしながら、特許文献１に示す技術は、そのような柔軟性については考慮されていない。
【０００７】
さらに、健康を維持するためには、食事のみならず、ストレスの解消、運動不足の解消等の様々な対策が考えられるが、特許文献１に示す技術では、多面的な解決方法が提示されないという問題点がある。
【０００８】
本発明は、上記の事情に基づきなされたもので、その目的とするところは、ユーザの嗜好を考慮し、多面的なアドバイスを行うことが可能な健康管理支援装置、健康管理支援方法、健康管理支援用プログラム、および、健康管理支援システムを提供することを目的とする。
【課題を解決するための手段】
【０００９】
上述の目的を達成するため、本発明の健康管理支援装置は、ユーザの身体状態または精神状態を示す情報としての個人情報を記憶する第１の記憶手段と、個人情報に所定の処理を施すことにより当該ユーザの健康状態に関する結果を得るための処理情報を記憶する第２の記憶手段と、処理情報による処理の結果に対応したアドバイス情報を記憶する第３の記憶手段と、所定のユーザに関する個人情報を第１の記憶手段から取得する取得手段と、取得手段によって取得された個人情報に処理情報を適用することにより所定の結果を得る処理手段と、処理手段によって得られた結果に対応するアドバイス情報を第３の記憶手段から取得してユーザに呈示する呈示手段と、を有している。
【００１０】
このため、個々のユーザに応じた多面的なアドバイスを行うことが可能な健康管理支援装置を提供することが可能になる。
【００１１】
また、本発明の健康管理支援装置は、上述の発明に加えて、アドバイス情報が、所定の疾病に罹患する可能性が高いことを示す情報と、それを回避するための方策を示す情報であるようにしている。このため、どのような疾病に罹患しやすいかを的確に知ることが可能になる。
【００１２】
また、本発明の健康管理支援装置は、上述の発明に加えて、アドバイス情報が、所定の疾病に罹患する可能性の高低を示す情報をさらに有するようにしている。このため、ユーザがどのような疾病に罹患しやすいかをその程度とともに知ることが可能になる。
【００１３】
また、本発明の健康管理支援装置は、上述の発明に加えて、アドバイス情報が、回避するための方策に関連する商品または役務に関する情報を有するようにしている。このため、疾病に罹患することを様々な方策により回避することができる。
【００１４】
また、本発明の健康管理支援装置は、上述の発明に加えて、商品または役務に関する情報が、当該商品または役務に関するホームページへのリンク情報としている。このため、商品または役務に関する情報を迅速に得ることが可能になる。
【００１５】
また、本発明の健康管理支援装置は、上述の発明に加えて、個人情報が、ユーザの嗜好を示す情報をさらに有し、処理手段が、嗜好を示す情報を参照して、ユーザの嗜好に適合しないアドバイス情報については呈示対象から除外するようにしている。このため、各ユーザの嗜好に応じたアドバイスを行うことが可能になる。
【００１６】
また、本発明の健康管理支援装置は、上述の発明に加えて、処理情報が、個人情報から罹患する可能性がある疾病を導き出す情報としている。このため、当該処理情報を用いて、罹患する可能性がある疾病を確実に導き出すことが可能になる。
【００１７】
また、本発明の健康管理支援装置は、上述の発明に加えて、処理情報が、所定の単位で変更することが可能としている。このため、新たな知見に応じて処理情報を迅速かつ適切に変更することが可能になる。
【００１８】
また、本発明の健康管理支援装置は、上述の発明に加えて、個人情報のうち、所定の情報については第三者も閲覧可能とし、所定の情報については閲覧不能としている。このため、登録された個人情報をセキュリティを確保しながら有効利用することが可能になる。
【００１９】
また、本発明の健康管理支援装置は、上述の発明に加えて、個人情報を入力するための入力画面を表示させる入力画面表示手段をさらに有し、入力画面を表示するためのデータが表形式のデータを有している。このため、個人情報を迅速に入力するとともに、個人情報の入力画面を容易に変更することが可能になる。
【００２０】
また、本発明の健康管理支援装置は、上述の発明に加えて、処理情報が、表形式のデータを有している。このため、処理情報を必要に応じて簡易に変更することが可能になる。
【００２１】
また、本発明の健康管理支援装置は、上述の発明に加えて、アドバイス情報が、表形式のデータを有している。このため、アドバイス情報を必要に応じて簡易に変更することが可能になる。
【００２２】
また、本発明の健康管理支援方法は、所定のユーザの身体状態または精神状態を示す情報としての個人情報を記憶装置から取得し、個人情報に所定の処理を施すことにより当該ユーザの健康状態に関する結果を得るための処理情報を個人情報に適用して処理し、処理情報による処理の結果に対応したアドバイス情報を記憶装置から取得して呈示するようにしている。
【００２３】
このため、個々のユーザに応じた多面的なアドバイスを行うことが可能な健康管理支援方法を提供することが可能になる。
【００２４】
また、本発明の健康管理支援用プログラムは、ユーザの身体状態または精神状態を示す情報としての個人情報を記憶する第１の記憶手段、個人情報に所定の処理を施すことにより当該ユーザの健康状態に関する結果を得るための処理情報を記憶する第２の記憶手段、処理情報による処理の結果に対応したアドバイス情報を記憶する第３の記憶手段、所定のユーザに関する個人情報を第１の記憶手段から取得する取得手段と、取得手段によって取得された個人情報に処理情報を適用することにより所定の結果を得る処理手段、処理手段によって得られた結果に対応するアドバイス情報を第３の記憶手段から取得してユーザに呈示する呈示手段、としてコンピュータを機能させるようにしている。
【００２５】
このため、個々のユーザに応じた多面的なアドバイスを行うことが可能な健康管理支援用プログラムを提供することが可能になる。
【００２６】
また、本発明の健康管理支援システムは、ユーザの身体状態または精神状態を示す情報としての個人情報を記憶する第１の記憶手段と、個人情報に所定の処理を施すことにより当該ユーザの健康状態に関する結果を得るための処理情報を記憶する第２の記憶手段と、処理情報による処理の結果に対応したアドバイス情報を記憶する第３の記憶手段と、を有する第１のサーバ装置と、所定のユーザに関する個人情報を第１の記憶手段から取得する取得手段と、取得手段によって取得された個人情報に処理情報を適用することにより所定の結果を得る処理手段と、処理手段によって得られた結果に対応するアドバイス情報を第３の記憶手段から取得してユーザに呈示する呈示手段と、を有する第２のサーバ装置と、を有している。
【００２７】
このため、個々のユーザに応じた多面的なアドバイスを行うことが可能な健康管理支援システムを提供することが可能になる。
【発明の効果】
【００２８】
本発明は、個々のユーザに応じた多面的なアドバイスを行うことが可能な健康管理支援装置、健康管理支援方法、健康管理支援用プログラム、および、健康管理支援システムを提供することができる。
【発明を実施するための最良の形態】
【００２９】
以下、本発明の一実施の形態について図に基づいて説明する。
【００３０】
図１は、本発明の実施の形態に係る健康管理支援システムの構成例を示す図である。この図に示すように、本発明の実施の形態に係る健康管理支援システムは、制御サーバ装置１０、ＤＢ（Data Base）サーバ装置１１、インターネット２０、ユーザ端末装置３０、管理者端末装置３１、および、医療関係者端末装置３２を有している。
【００３１】
ここで、制御サーバ装置１０は、システム全体を統御するとともにユーザ端末装置３０からの要求に応じて各種演算処理を実行するための装置である。ＤＢサーバ装置１１は、制御サーバ装置１０がシステム全体を統御する際に必要なデータを格納するとともに、ユーザから入力された個人情報その他を格納する。インターネット２０は、様々なネットワークが地球規模で接続されて形成されたネットワークである。ユーザ端末装置３０は、健康管理システムのサービスを受けようとするユーザが有する端末装置である。管理者端末装置３１は、健康管理システムを管理する管理者が有する端末装置である。医療関係者端末装置３２は、例えば、医師、看護師等の医療関係者が有する端末装置である。
【００３２】
図２は、図１に示す制御サーバ装置１０の構成例を示すブロック図である。この図に示すように、制御サーバ装置１０は、ＣＰＵ（Central Processing Unit）１０ａ、ＲＯＭ（Read Only Memory）１０ｂ、ＲＡＭ（Random Access Memory）１０ｃ、ＨＤＤ（Hard Disk Drive）１０ｄ、ビデオ回路１０ｅ、Ｉ／Ｆ（Interface）１０ｆ、バス１０ｇ、表示装置１０ｈ、および、入力装置１０ｉを有している。
【００３３】
ここで、取得手段、処理手段、呈示手段の一部、入力画面表示手段としてのＣＰＵ１０ａは、ＨＤＤ１０ｄに格納されているプログラムに応じて、各種演算処理を実行するとともに、装置の各部を制御する中央処理装置である。
【００３４】
ＲＯＭ１０ｂは、ＣＰＵ１０ａが実行するプログラムを格納した半導体記憶装置である。ＲＡＭ１０ｃは、ＣＰＵ１０ａが実行するプログラムを一時的に記憶する半導体記憶装置である。
【００３５】
ＨＤＤ１０ｄは、ＣＰＵ１０ａが実行するプログラムおよびデータを格納している。具体的には、ＨＤＤ１０ｄは、制御プログラム１０ｄ１を有している。ここで、制御プログラム１０ｄ１は、後述するように、ＤＢサーバ装置１１のＨＤＤ１１ｄに格納されているデータを参照し、ユーザからの要求に対応する処理を実行するためのプログラムである。
【００３６】
ビデオ回路１０ｅは、ＣＰＵ１０ａから供給された描画コマンドに応じた描画処理を実行するとともに、描画処理の結果として得られた画像を映像信号に変換して表示装置１０ｈへ出力する。
【００３７】
呈示手段の一部としてのＩ／Ｆ１０ｆは、入力装置１０ｉから出力される信号の表現形式を変換して入力するとともに、インターネット２０を介して他の装置との間でデータを授受する際に所定のプロトコル（例えば、ＴＣＰ／ＩＰ）に基づいてデータをパケット化する処理等を実行する。バス１０ｇは、ＣＰＵ１０ａ、ＲＯＭ１０ｂ、ＲＡＭ１０ｃ、ＨＤＤ１０ｄ、ビデオ回路１０ｅ、および、Ｉ／Ｆ１０ｆを相互に接続し、これらの間で情報の授受を可能とするための信号線群である。
【００３８】
表示装置１０ｈは、ビデオ回路１０ｅから出力される映像信号を表示するための装置であり、ＣＲＴ（Cathode Ray Tube）モニタ等によって構成される。入力装置１０ｉは、例えば、キーボードまたはマウスによって構成されている。
【００３９】
図３は、図１に示すＤＢサーバ装置１１の構成例を示すブロック図である。この図に示すように、ＤＢサーバ装置１１は、ＣＰＵ１１ａ、ＲＯＭ１１ｂ、ＲＡＭ１１ｃ、ＨＤＤ１１ｄ、ビデオ回路１１ｅ、Ｉ／Ｆ１１ｆ、バス１１ｇ、表示装置１１ｈ、および、入力装置１１ｉを有している。なお、それぞれの構成要素は、図２の場合と同様であるが、ＨＤＤ１１ｄに格納されている情報が図２の場合とは異なっている。
【００４０】
ＤＢサーバ装置１１の場合、第１の記憶手段、第２の記憶手段、第３の記憶手段としてのＨＤＤ１１ｄには、問診項目ＤＢ１１ｄ１、回答方式ＤＢ１１ｄ２、個人情報ＤＢ１１ｄ３、処理ロジックＤＢ１１ｄ４、および、アドバイスＤＢ１１ｄ５が格納されている。
【００４１】
ここで、問診項目ＤＢ１１ｄ１は、ユーザに対する問診の項目を格納したデータベースである。回答方式ＤＢ１１ｄ２は、問診項目ＤＢ１１ｄ１に格納されている問診項目に対する回答方式（例えば、ラジオボタンによる選択等）を指定する情報を格納したデータベースである。個人情報ＤＢ１１ｄ３は、各ユーザの個人情報（例えば、氏名、問診結果、嗜好情報等）を格納したデータベースである。処理ロジックＤＢ１１ｄ４は、例えば、個人情報に基づいてアドバイスを行う際の処理のロジック（論理式（処理情報））に関する情報を格納したデータベースである。アドバイスＤＢ１１ｄ５は、ユーザに対する種々のアドバイスを格納したデータベースである。
【００４２】
図４は、図１に示すユーザ端末装置３０、管理者端末装置３１、および、医療関係者端末装置３２の構成例を示すブロック図である。なお、ユーザ端末装置３０、管理者端末装置３１、および、医療関係者端末装置３２は、同様の構成とされているので、ユーザ端末装置３０を例に挙げて説明を行う。この図に示すように、ユーザ端末装置３０は、ＣＰＵ３０ａ、ＲＯＭ３０ｂ、ＲＡＭ３０ｃ、ＨＤＤ３０ｄ、ビデオ回路３０ｅ、Ｉ／Ｆ３０ｆ、バス３０ｇ、表示装置３０ｈ、および、入力装置３０ｉを有している。
【００４３】
ここで、ＨＤＤ３０ｄは、ブラウザプログラム３０ｄ１を有している。ブラウザプログラム３０ｄ１は、ＨＴＭＬ（Hyper Text Markup Language）等によって記述された文書を閲覧する場合に使用され、ユーザが管理サーバ装置１０にアクセスし、所望の情報を入力したり、取得したりする場合に使用される。なお、その他の構成は、図２の場合と同様であるので、その詳細な説明は省略する。
【００４４】
つぎに、図１に示す実施の形態の動作を説明する。
【００４５】
図５は、ユーザが、ユーザ端末装置３０を操作して、制御サーバ装置１０にアクセスし、個人情報の登録を行う際の動作の流れを説明するフローチャートである。このフローチャートの処理が開始されると、以下のステップが実行される。
【００４６】
ステップＳ１０：ユーザ端末装置３０のＣＰＵ３０ａは、ユーザが入力装置３０ｉを操作してログインする要求を行った場合には、入力装置３０ｉからの情報を取得し、Ｉ／Ｆ３０ｆおよびインターネット２０を介して、取得した情報を制御サーバ装置１０に送信する。
【００４７】
ステップＳ１１：制御サーバ装置１０のＣＰＵ１０ａは、ユーザのログインを受け付ける。すなわち、ＣＰＵ１０ａは、ユーザ端末装置３０から送信されてきた情報を受信し、当該情報に含まれているユーザＩＤおよびパスワードを取得する。
【００４８】
ステップＳ１２：ＣＰＵ１０ａは、ステップＳ１１において取得したユーザＩＤおよびパスワードを参照し、アクセスしてきたユーザが正規のユーザであるか否かを判定し、正規のユーザである場合にはステップＳ１３に進み、それ以外の場合にはステップＳ１０に戻って同様の処理を繰り返す。
【００４９】
ステップＳ１３：ＣＰＵ１０ａは、Ｉ／Ｆ１０ｆおよびインターネット２０を介して、ＤＢサーバ装置１１の問診項目ＤＢ１１ｄ１から問診項目に関する情報を読み込む。
【００５０】
図６は、問診項目に関する情報の一例である。この例は、「Ｃａｔｅｇｏｒｙ」、「Ｓｕｂｊｅｃｔ」、「Ｒｅｆｉｄ」、「Ｒｅｆｓｔｒ」、「Ｃｈｏｉｃｅ」、「Ｖａｌｉｄａｔｅ」、および、「Ｍｅｓｓａｇｅ」によって構成されている。ここで、「Ｃａｔｅｇｏｒｙ」は、質問のカテゴリを示す。この例は、基本項目を入力するための問診であるので、「ｂａｓｉｃ」とされている。「Ｓｕｂｊｅｃｔ」は、入力される情報の型を示す。例えば、文字列は「ｓｔｒ」であり、数値は「ｆｌｏａｔ」である。「Ｒｅｆｉｄ」は、各項目を参照するためのＩＤであり、ユニークなシリアル番号が付与される。
【００５１】
「Ｒｅｆｓｔｒ」は、各項目を参照するための文字列であり、ユニークな文字列が付与される。例えば、「ｎａｍｅ」および「ｓｅｘ」等の文字列が付与される。「Ｃｈｏｉｃｅ」は、選択肢を指定するための番号である。例えば、第２番目の項目は“１”とされているが、これは、後述する図７のＩＤが“１”である選択肢を示している。「Ｖａｌｉｄａｔｅ」は、変数の有効入力範囲を示している。例えば、血圧に関する最後の項目の場合、有効入力範囲が０〜２００であることが指定されている。このように、有効入力範囲を設定可能とすることにより、入力ミスを防止することができる。「Ｍｅｓｓａｇｅ」は、表示装置に表示するメッセージであり、「氏名」および「性別」等である。
【００５２】
ステップＳ１４：ＣＰＵ１０ａは、Ｉ／Ｆ１０ｆおよびインターネット２０を介して、ＤＢサーバ装置１１の回答方式ＤＢ１１ｄ２から問診項目の回答方式に関する情報を読み込む。
【００５３】
図７は、回答方式に関する情報の一例を示す図である。この例は、「ＩＤ」、「ｖａｌｕｅ」、および、「ｍｅｓｓａｇｅ」によって構成されている。ここで、「ＩＤ」は選択肢を指定する番号であり、ユニークな番号が付与される。この例では、ＩＤ＝１〜３の選択肢群があり、例えば、ＩＤ＝１の選択肢は男女の別を選択する選択肢とされている。「ｖａｌｕｅ」は、当該選択肢が選ばれた場合に与えられる数値であり、ＩＤ＝１の場合であって、「男」が選択されたときは“０”が、また、「女」が選択されたときは“１”が与えられる。「ｍｅｓｓａｇｅ」は、選択肢を説明するメッセージであり、ＩＤ＝１の場合には、「男」および「女」がメッセージとして表示される。
【００５４】
ステップＳ１５：ＣＰＵ１０ａは、ステップＳ１３で取得した問診項目に関する情報と、ステップＳ１４で取得した回答方式に関する情報とを用いて、問診画面をＨＴＭＬ文書として自動的に生成し、Ｉ／Ｆ１０ｆおよびインターネット２０を介してアクセスしてきたユーザ端末装置３０に対して送信する。
【００５５】
ステップＳ１６：ＣＰＵ３０ａは、ステップＳ１３において制御サーバ装置１０から送信されたＨＴＭＬ文書を受信し、ブラウザプログラム３０ｄ１を用いて表示装置３０ｈに表示する。
【００５６】
図８は、図６に示す問診項目に関する情報および図７に示す回答方式に関する情報によって生成されたＨＴＭＬ文書が、ユーザ端末装置３０の表示装置３０ｈに表示された場合の表示例である。図８の例では、枠８０が表示され、枠８０内の最上部にはタイトル８１としての「パーソナルデータ入力」が表示されている。また、その下には、テキストボックス８２〜９３およびボタン９４，９５が表示されている。ここで、テキストボックス８２は、図６に示す第１番目の項目（Ｒｅｆｉｄ＝９８００の項目）に基づいて表示され、ユーザの氏名が入力される。ラジオボタン群８３は、図６に示す第２番目の項目（Ｒｅｆｉｄ＝９８５０の項目）および図７に示すＩＤ＝１の項目に基づいて表示され、ユーザの性別が選択される。テキストボックス８４は、図６に示す第３番目の項目（Ｒｅｆｉｄ＝９８１０）に基づいて表示され、ユーザの年齢が入力される。テキストボックス８５は、図６に示す第４番目の項目（Ｒｅｆｉｄ＝９８２０）に基づいて表示され、ユーザの住所が入力される。
【００５７】
テキストボックス８６には、ユーザ認証を行う際に用いられるユーザＩＤが入力される。テキストボックス８７には、同じくユーザ認証を行う際に用いられるパスワードが入力される。テキストボックス８８には、ユーザの電子メールアドレスが入力される。テキストボックス８９には、ユーザの有するクレジットカードに関する情報（例えば、カード番号および有効期限等）が入力される。テキストボックス９０には、ユーザの体重が入力される。テキストボックス９１には、ユーザの身長が入力される。テキストボックス９２には、ユーザの体脂肪率が入力される。なお、テキストボックス８６〜９２は、図６の第５番目〜１１番目の項目（図示せず）に基づいて表示される。テキストボックス９３は、図６に示す最後の項目（Ｒｅｆｉｄ＝９９００）に基づいて表示され、ユーザの血圧が入力される。ボタン９４は、入力された情報をキャンセルする際に操作されるボタンである。ボタン９５は、入力された情報を制御サーバ装置１０に送信する場合に操作されるボタンである。
【００５８】
なお、この画面において入力される情報のうち、ユーザＩＤは個人を特定する情報として利用され、氏名、性別、年齢、住所、パスワード、メールアドレス、クレジットカードに関する情報は、必要な場合に所定の権限を有する管理者のみに閲覧または利用可能な秘密情報として保護される。体重、身長、体脂肪率、血圧は身体の属性情報として利用される。
【００５９】
図９は、図６と同様の問診項目情報に基づいて表示され、健康診断の結果を入力するための画面である。この表示例では、枠１００が表示され、枠１００内の最上部にはタイトル１０１として「パーソナルデータ入力」が表示されている。また、その下にはテキストボックス１０２〜１１１が表示され、最下部にはボタン１１２，１１３が表示されている。テキストボックス１０２には、血液検査の結果であるヘモグロビン濃度（赤血球一定容積中に含まれているヘモグロビンの量を濃度比であらわしたもの）が入力される。テキストボックス１０３には、血液の単位容積中に含まれる赤血球数が入力される。テキストボックス１０４には、単位容積中に含まれる総コレステロールの質量が入力される。テキストボックス１０５には、血液の単位容積中に含まれるＨＤＬ（High Density Lipoprotein）コレステロールの質量が入力される。テキストボックス１０６には、血液の単位容積中に含まれる中性脂肪の質量が入力される。テキストボックス１０７には、血液の単位容積中に含まれるブドウ糖の質量が入力される。テキストボックス１０８には、血液の単位容積中に含まれる尿酸の質量が入力される。テキストボックス１０９には、血液の尿素に含まれる窒素の質量が入力される。テキストボックス１１０には、血液中に含まれるＧＯＴ（Glutamic Oxaloacetic Transaminase）を所定の方法で測定した場合の測定値（ＩＵ）が入力される。テキストボックス１１１には、血液中に含まれるγ−ＧＰＴ（Glutamic Pyruvic Transaminase）を所定の方法で測定した場合の測定値（ＩＵ）が入力される。ボタン１１２は、入力された情報をキャンセルする際に操作され、ボタン１１３は、入力された情報を制御サーバ装置１０に送信する場合に操作される。
【００６０】
図１０は、図１１に示す病歴を入力する画面を表示するための情報である。この例では、「Ｃａｔｅｇｏｒｙ」は「ｈｉｓｔｏｒｙ」とされている。「Ｓｕｂｊｅｃｔ」は空白とされている。「Ｒｅｆｉｄ」は、質問番号に対応して“１”〜“９”の数値が付与されている。「Ｒｅｆｓｔｒ」は空白とされている。「Ｃｈｏｉｃｅ」は、“２”とされており、これは、図７のＩＤ＝２に対応している。「Ｖａｌｉｄａｔｅ」は、空白とされている。また、「Ｍｅｓｓａｇｅ」は、それぞれ「高血圧」、「心臓病」、・・・、「痛風」とされている。
【００６１】
図１１は、図１０に示す情報に基づいて表示された画面の一例であり、ユーザの病歴等に関する情報が入力される。この表示例では、枠１２０が表示され、枠１２０内の最上部にはタイトル１２１として「パーソナルデータ入力」が表示されている。また、その下にはラジオボタン群１２２〜１３０が表示され、最下部にはボタン１３１，１３２が表示されている。ラジオボタン群１２２は、４つのラジオボタンを有し、高血圧に関する情報が入力される。ユーザが高血圧症に罹患していない場合は、左端のラジオボタンがチェックされ、過去に高血圧症であった場合には左端から２番目のラジオボタンがチェックされ、現在高血圧症である場合には左端から３番目のラジオボタンがチェックされ、家族に高血圧症の者がいる場合には右端のラジオボタンがチェックされる。ラジオボタン群１２３には、心臓病に関する情報が入力される。ラジオボタン群１２４には、脳卒中に関する情報が入力される。ラジオボタン群１２５には、肺の病気に関する情報が入力される。ラジオボタン群１２６には、胃腸病に関する情報が入力される。ラジオボタン群１２７には、肝臓病に関する情報が入力される。ラジオボタン群１２８には、膵臓病に関する情報が入力される。ラジオボタン群１２９には、糖尿病に関する情報が入力される。ラジオボタン群１３０には、痛風に関する情報が入力される。ボタン１３１は、入力された情報をキャンセルする際に操作され、ボタン１３２は、入力された情報を制御サーバ装置１０に送信する場合に操作される。なお、ラジオボタン群１２２〜１３０は、図１０に示す第１番目〜第９番目の項目に基づいてそれぞれ表示されたものである。
【００６２】
図１２は、図１０と同様の情報に基づいて表示された画面であり、ユーザの嗜好に関する情報が入力される。この表示例では、枠１５０が表示され、枠１５０内の最上部にはタイトル１５１として「パーソナルデータ入力」が表示されている。また、その下にはラジオボタン群１５２〜１６０が表示され、最下部にはボタン１６１，１６２が表示されている。なお、ラジオボタン群１５２〜１５６には、食べ物に関する嗜好情報が入力され、ラジオボタン群１５７〜１６０には、運動に関する嗜好情報が入力される。ここで、ラジオボタン群１５２は、ニンジンが嫌いな場合には左端のラジオボタンが選択され、好きな場合には中央のラジオボタンが選択され、どちらでもない場合には右端のラジオボタンが選択される。ラジオボタン群１５３には、ピーマンに関する嗜好情報がニンジンの場合と同様に入力される。ラジオボタン群１５４には、山芋に対する嗜好情報が入力される。ラジオボタン群１５５には、セロリに関する嗜好情報が入力される。ラジオボタン群１５６には、海藻に関する嗜好情報が入力される。ラジオボタン群１５７には、ウォーキングに関する嗜好情報が入力される。ラジオボタン群１５８には、水泳に関する嗜好情報が入力される。ラジオボタン群１５９には、ジョギングに関する嗜好情報が入力される。ラジオボタン群１６０には、筋トレに関する嗜好情報が入力される。ボタン１６１は、入力された情報をキャンセルする際に操作され、ボタン１６２は、入力された情報を制御サーバ装置１０に送信する場合に操作される。
【００６３】
図１３は、図１０と同様の情報に基づいて表示された画面であり、ユーザのストレスに関する情報が入力される。この表示例では、枠１８０が表示され、枠１８０内の最上部にはタイトル１８１として「パーソナルデータ入力」が表示されている。また、その下にはラジオボタン群１８２〜１９０が表示され、最下部にはボタン１９１，１９２が表示されている。ここで、ラジオボタン群１８２は、ユーザが物事に集中できない状態である場合には、左端のラジオボタンが選択され、該当しない場合には中央のラジオボタンが選択され、どちらでもない場合には右端のラジオボタンが選択される。ラジオボタン群１８３には、いらいらするか否かに関する情報が入力される。ラジオボタン群１８４には、不安になるか否かに関する情報が入力される。ラジオボタン群１８５には、胃が痛むか否かに関する情報が入力される。ラジオボタン群１８６には、余裕がないか否かに関する情報が入力される。ラジオボタン群１８７には、風邪をひきやすいか否かに関する情報が入力される。ラジオボタン群１８８には、体がだるいか否かに関する情報が入力される。ラジオボタン群１８９には、憂鬱であるか否かに関する情報が入力される。ラジオボタン群１９０には、胸焼けがするか否かに関する情報が入力される。ボタン１９１は、入力された情報をキャンセルする際に操作され、ボタン１９２は、入力された情報を制御サーバ装置１０に送信する場合に操作される。
【００６４】
ステップＳ１７：ＣＰＵ３０ａは、図８，９，１１〜１３に示す画面において情報が入力され、ボタン９４，１１３，１３２，１６２，１９２が操作された場合には、入力された情報を取得し、制御サーバ装置１０に送信する。
【００６５】
ステップＳ１８：ＣＰＵ１０ａは、ステップＳ１７においてユーザ端末装置３０から送信された情報を受信する。
【００６６】
ステップＳ１９：ＣＰＵ１０ａは、ステップＳ１８で受信した情報を、ＤＢサーバ装置１１に送信し、個人情報ＤＢ１１ｄ３に登録する。
【００６７】
図１４は、個人情報ＤＢ１１ｄ３に登録される個人情報の一例を示す図である。この例では、個人情報２００は、個人特定用情報２０１、秘密情報２０２、身体属性情報２０３、検診情報２０４、問診情報２０５、生活情報２０６、および、嗜好情報２０７を有している。ここで、個人特定用情報２０１は、氏名、性別、年齢等の個人を特定するための情報であり、例えば、図８に示すテキストボックス８２，８４およびラジオボタン群８３に入力された情報である。秘密情報は、氏名、性別、年齢、パスワード、メールアドレス等の情報であり、例えば、図８に示すテキストボックス８５〜８９に入力された情報である。なお、この情報は、システム管理者の所定の権限を有する者しか閲覧できないように保護されている。
【００６８】
身体属性情報２０３は、身長、体重、体脂肪率、血圧等の情報であり、例えば、図８に示すテキストボックス９０〜９３に入力された情報である。検診情報２０４は、血液検査、尿検査、検便等によって得られた検診情報であり、例えば、図９に示す画面において入力された情報である。問診情報２０５は、病歴、生活習慣等を示す情報であり、例えば、図１１および図１３に示す画面において入力された情報である。また、生活情報２０６は、運動、食事、ストレス等に関する情報であり、所定の頻度で（例えば、毎日）入力される情報である。嗜好情報２０７は、ユーザの食べ物または運動等に対する嗜好（好き嫌い）に関する情報であり、例えば、図１２に示す画面において入力された情報である。
【００６９】
なお、身体属性情報２０３は、例えば、ユーザ端末装置３０に接続された図示せぬヘルスメータから自動的に収集するようにしてもよい。検診情報２０４は、検診を行う医療機関等の担当者がユーザの代わりに入力するようにすることも可能である。生活情報２０６は、例えば、食事の場合には、社員食堂等においてユーザが注文した料理の栄養素等を精算の際にＰＯＳ（Point of Sale）システムからユーザ端末装置３０に送信するようにしてもよい。また、運動の場合には、例えば、ユーザが通っているスポーツジムが有するパーソナルコンピュータから入力するようにしてもよい。
【００７０】
ステップＳ２０：ＣＰＵ１０ａは、ＤＢサーバ装置１１の個人情報１１ｄ３を参照し、登録されたデータを確認するための画面を生成し、ユーザ端末装置３０に送信する。
【００７１】
ステップＳ２１：ＣＰＵ３０ａは、ステップＳ２０において制御サーバ装置１０から送信されてきた情報を受信し、表示装置３０ｈに表示する。なお、登録データ確認画面において不備が見つかった場合には、再度ステップＳ１３に戻って登録を繰り返すようにしてもよい。
【００７２】
以上の処理により、ユーザの身体状態または精神状態を示す個人情報がＤＢサーバ装置１１に登録され、後述するアドバイス等のサービスを受けることが可能になる。
【００７３】
つぎに、個人情報の登録を行ったユーザがアドバイスを受ける場合の動作について説明する。
【００７４】
図１５は、個人情報の登録を行ったユーザがアドバイスを受ける場合の処理の流れの一例について説明するフローチャートである。このフローチャートの処理が開始されると、以下のステップが実行される。
【００７５】
ステップＳ４０：ユーザ端末装置３０のＣＰＵ３０ａは、ユーザが入力装置３０ｉを操作して、ブラウザプログラム３０ｄ１を起動した後、アドバイスを受ける操作を行った場合には、アドバイスを受ける操作がなされたと判定して、ステップＳ４１に進み、それ以外の場合には同様の処理を繰り返す。なお、このとき、ＣＰＵ３０ａは、ユーザＩＤとパスワードを制御サーバ装置１０に送信する。
【００７６】
ステップＳ４１：制御サーバ装置１０のＣＰＵ１０ａは、ステップＳ４０において、ユーザ端末装置３０から送信されてきたユーザＩＤとパスワードを参照して、ユーザ認証処理を実行する。なお、図１５には示していないが、正当なユーザでない場合には、ユーザＩＤとパスワードを再度送信するように要求する。
【００７７】
ステップＳ４２：ＣＰＵ１０ａは、ＤＢサーバ装置１１のＨＤＤ１１ｄに格納されている個人情報ＤＢ１１ｄ３から、アクセスしてきたユーザの個人情報２００を読み込む。
【００７８】
ステップＳ４３：ＣＰＵ１０ａは、ＤＢサーバ装置１１のＨＤＤ１１ｄに格納されている処理ロジックＤＢ１１ｄ４から処理ロジックを読み込む。ここで、処理ロジックとは、個人情報を参照して、ユーザの健康状態を判断する際の処理の流れおよび判断基準等を記載した処理情報である。なお、処理ロジックの詳細については後述する。
【００７９】
ステップＳ４４：ＣＰＵ１０ａは、ステップＳ４２で取得した個人情報に、ステップＳ４３で取得した処理ロジックを適用することにより、個人情報を分析する。
【００８０】
図１６および図１７は、処理情報としての処理ロジックの一例を示す図である。より詳細には、図１６は、評価式とそれぞれの評価式に付与した名称を示す情報の一例であり、図１７は、図１６に示す評価式の出力情報の一例である。
【００８１】
図１６の例は、「ｎａｍｅ」および「ｅｘｐｒ」によって構成されている。ここで、「ｎａｍｅ」は、各評価式の名称である。また、「ｅｘｐｒ」は、評価式である。この例では、評価式の名称としては、痛風に罹患する可能性を示す「ｇｏｕｔｖａｌ」、痛風に罹患する危険度を示す「ｇｏｕｔａｌａｒｔ」、痛風に罹患する可能性がある場合のアドバイスを示す「ｇｏｕｔａｄｖ」、および、痛風に罹患する可能性がある場合のコメントを示す「ｇｏｕｔｃｏｍ１」、「ｇｏｕｔｃｏｍ２」、「ｇｏｕｔｃｏｍ３」がある。
【００８２】
一方、評価式としては、この例では、ｖａｒｌｉｓｔＬ（）およびｖａｒｔａｂｌｅ（）がある。ここで、ｖａｒｌｉｓｔＬ（ｘ，ｙ１,ｙ２，・・・，ｙｎ）は、変数ｘの値がｙ１〜ｙｎのどの範囲に属するかを数値として返す関数であり、ｘ＜ｙ１の場合は“０”、ｙ１≦ｘ＜ｙ２の場合は“１”、ｙ２≦ｘ＜ｙ３の場合は“２”、ｙｎ＜ｘの場合は“ｎ”を戻り値とする。一方、ｖａｒｔａｂｌｅ（‘ｖ’，ｘ，ｙ，ｚ，ｗ）は、ｘ，ｙ，ｚ，ｗの値に応じたコメント等を図１７に示すテーブルから取得する関数である。
【００８３】
図１７は、関数ｖａｒｔａｂｌｅ（）によって参照されるコメント等を格納したテーブルであり、「ＴａｂｌｅＮａｍｅ」、「ｘ」、「ｙ」、「ｚ」、「ｗ」、「ｖａｌｕｅ」によって構成されている。ここで、「ＴａｂｌｅＮａｍｅ」は、テーブルの名称であり、関数ｖａｒｔａｂｌｅ（）によって参照すべき情報を特定するための名称である。「ｘ」、「ｙ」、「ｚ」、「ｗ」は、特定のテーブルのどの情報を取得するかを決定するための情報であり、数値または文字列等の情報である。「ｖａｌｕｅ」は、関数ｖａｒｔａｂｌｅ（）の戻り値となる情報（アドバイス、コメント）であり、文字列、数値等の情報である。
【００８４】
図１８は、痛風に関する処理の内容を詳細に説明するための図である。ここで、図１８（Ａ）は、図１６に示す評価式ｇｏｕｔｖａｌの処理の内容を示している。この図において、「質問番号」は、それぞれの質問に付与された番号である。「判定項目」は、痛風に罹患する可能性を判断する場合の判定項目を示している。また、ポイントは各判定項目に該当する場合のポイント（各項目の重み）を示している。例えば、第１番目の判定項目は、「血液中の尿酸値が７．０ｍｇ／ｄｌ以上である。」であり、該当する場合には“６”ポイントが加算される。第２番目の判定項目は、「家族または親族に痛風の患者がいる。」であり該当する場合には“１”ポイントが加算される。第３番目の判定項目は、「肥満である（ＢＭＩ（Body Mass Index）値が２５以上である）。」であり該当する場合には“１”ポイントが加算される。第４番目の判定項目は、「お酒をよく飲む。」であり該当する場合には“１”ポイントが加算される。第５番目の判定項目は、「ストレスが溜まっている。」であり該当する場合には“１”ポイントが加算される。
【００８５】
図１８（Ｂ）は、図１８（Ａ）の判定項目による判定結果によって得られたポイントと、危険度との関係を示すテーブルである。例えば、「５ポイント未満」の場合には正常範囲であると判定される。「５または６ポイント」である場合には痛風になる危険性を示すレベルが「危険レベル１」と判定される。「７または８ポイント」である場合には痛風になる危険性を示すレベルが「危険レベル２」と判定される。「９または１０ポイント」である場合には痛風になる危険性を示すレベルが「危険レベル３」と判定される。
【００８６】
ここで、評価式ｇｏｕｔｖａｌは、ｖａｒｌｉｓｔＬ（６＊Ｑ１＋Ｑ２＋Ｑ３＋Ｑ４＋Ｑ５，５，７，９，１１）の値をその戻り値とする。Ｑ１〜Ｑ５は、それぞれの質問に該当する場合は“１”となり、それ以外の場合は“０”となる変数である。この例では、Ｑ１には重みである“６”が乗算されており、その他は重みが乗算されていない。したがって、このような重み付けにより、図１８（Ａ）に示す各項目毎のポイントを実現する。また、ｖａｒｌｉｓｔＬ（）の戻り値は、「６＊Ｑ１＋Ｑ２＋Ｑ３＋Ｑ４＋Ｑ５」の計算結果が、「５，７，９，１１」との比較によって決定されるので、「６＊Ｑ１＋Ｑ２＋Ｑ３＋Ｑ４＋Ｑ５」の計算結果をＣとすると、Ｃ＜５の場合は“０”となり、５≦Ｃ＜７の場合（Ｃ＝５，６の場合）は“１”となり、７≦Ｃ＜９の場合（Ｃ＝７，８の場合）は“２”となり、９≦Ｃ＜１１の場合（Ｃ＝９，１０の場合）は“３”となる。
【００８７】
ｇｏｕｔａｌａｒｔ（‘ｇｏｕｔａｌａｒｔ’，ｇｏｕｔｖａｌ）は、ｇｏｕｔｖａｌの値に応じた情報を図１７に示すテーブルから取得する。具体的には、前述のｇｏｔｖａｌ＝０の場合は、ｘ＝０である「正常範囲」が取得され、ｇｏｔｖａｌ＝１の場合は、ｘ＝１である「痛風になる可能性があります（危険レベル１）」が取得され、ｇｏｔｖａｌ＝２の場合は、ｘ＝２である「痛風になる可能性が高いです（危険レベル２）」が取得され、ｇｏｔｖａｌ＝３の場合は、ｘ＝３である「痛風になる可能性がかなり高いです（危険レベル３）」が取得される。
【００８８】
なお、以上は、痛風の場合の例であるが、処理ロジックＤＢ１１ｄ４には、他の病気（例えば、糖尿病等）に関するロジックや、健康状態（例えば、肥満等）に関するロジックが格納されており、これらを利用することにより、ユーザの病気に罹患する可能性や健康状態を知ることができる。
【００８９】
ステップＳ４５：ＣＰＵ１０ａは、ステップＳ４４における分析結果に基づいてＤＢサーバ装置１１のアドバイスＤＢ１１ｄ５から該当するアドバイス情報を検索して取得する。
【００９０】
例えば、図１６の例では、ｇｏｕｔａｄｖ（）により、ユーザの評価結果に応じたアドバイスが取得される。すなわち、ｖａｒｔａｂｌｅ（‘ｇｏｕｔａｄｖ’，ｇｏｕｔｖａｌ）では、ｇｏｕｔａｖａｌの値に応じたアドバイスが図１７に示すテーブルから取得される。例えば、ｇｏｕｔｖａｌ＝０である場合にはｘ＝０である「痛風については特に危険性はありません。」が取得され、ｇｏｕｔｖａｌ＝１である場合にはｘ＝１，２である「尿酸値が高いです。以下のサイトを参照して尿酸地を下げてください。」が取得される。ここで、図１７において、ｘの欄には「１，２」が格納されているが、これはｘ＝１またはｘ＝２のいずれの場合も該当するとして当該メッセージが取得される。したがって、ｇｏｕｔｖａｌ＝２である場合にも「尿酸値が高いです。以下のサイトを参照して尿酸地を下げてください。」が取得される。ｇｏｕｔｖａｌ＝３である場合にはｘ＝３である「すぐに病院へ行って精密検査を受けて下さい。」が取得される。
【００９１】
また、ｇｏｕｔｃｏｍ１（）は、ｖａｒｔａｂｌｅ（‘ｇｏｕｔｃｏｍ１’，ｇｏｕｔｖａｌ，Ｑ６）の評価結果が与えられる。ここで、Ｑ６は、図１２のラジオボタン群１５６において入力された海藻の好き嫌いを示す質問に対応しており、好きである場合にはその値が“１”となる。図１７に示すように、ｇｏｕｔｃｏｍ１は、ｘ＝１，２であり、ｙ＝１である場合、すなわち、痛風になる危険度が“１”または“２”であり、海藻が好きである場合（Ｑ６＝１の場合）にコメント「尿酸値が高い方へ沖縄特産××もずく。」がコメントとして取得される。ここで、コメントの下線部分は、図１９に示す「××もずく」に対応するＵＲＬ（Uniform Resource Locator）「ｗｗｗ．ｍｏｚｕｋｕ．ｃｏｍ」に対するリンクが張られている。なお、当該ＵＲＬは、もずくを販売する会社のＨＰのＵＲＬである。
【００９２】
ｇｏｕｔｃｏｍ２（）は、ｖａｒｔａｂｌｅ（‘ｇｏｕｔｃｏｍ２’，ｇｏｕｔｖａｌ，Ｑ３）の評価結果が与えられる。ここで、Ｑ３は、図１８（Ａ）の質問Ｑ３に対応しており、ＢＭＩが２５以上である場合は、その値が“１”となる。図１７に示すように、ｇｏｕｔｃｏｍ２は、ｘ＝１，２であり、ｙ＝１である場合、すなわち、痛風になる危険度が“１”または“２”であり、ＢＭＩ値が２５以上の場合（Ｑ３＝１の場合）にコメント「運動不足解消に□□ジム。」がコメントとして取得される。ここで、コメントの下線部分は、図１９に示す「□□ジム」に対応するＵＲＬ「ｗｗｗ．ｇｙｍ１．ｃｏｍ」に対するリンクが張られている。なお、当該ＵＲＬは、スポーツジムのＨＰのＵＲＬである。
【００９３】
ｇｏｕｔｃｏｍ３（）は、ｖａｒｔａｂｌｅ（‘ｇｏｕｔｃｏｍ３’，ｇｏｕｔｖａｌ，Ｓ７）の評価結果が与えられる。ここで、Ｓ７は、○○食材サービスによるサービスに既に加入しているか否かを示し、加入していない場合はその値が“１”となる。図１７に示すように、ｇｏｕｔｃｏｍ３は、ｘ＝１，２であり、ｙ＝１である場合、すなわち、痛風になる危険度が“１”または“２”であり、○○食材サービスによるサービスに加入していない場合（Ｓ７＝１の場合）にコメント「尿酸値が高い方向けの○○食材サービス。」がコメントとして取得される。ここで、コメントの下線部分は、図１９に示す「○○食材サービス」に対応するＵＲＬ「ｗｗｗ．ｓｙｏｋｕｚａｉ．ｃｏｍ」に対するリンクが張られている。なお、当該ＵＲＬは、食材を配達するサービスの会社のＨＰのＵＲＬである。
【００９４】
なお、このようなアドバイス情報は、他の病気または健康状態についてもそれぞれ準備されているので、これらの情報を参照することにより、個々のユーザにとって適切なアドバイスを得ることができる。
【００９５】
また、以上の例では、ユーザの嗜好に基づいてアドバイスまたはコメントを取捨選択している。詳細には、図１２の画面においてユーザが「海藻」が「きらい」であると意思表示している場合には、図１７のｇｏｕｔｃｏｍ１のコメントである「尿酸値が高い方へ沖縄特産××もずく。」は除外されることになる。ユーザのＢＭＩ値が２５未満である場合には、ｇｏｕｔｃｏｍ２のコメントである「運動不足解消に□□ジム」は除外される。ユーザがすでに○○食材サービスの提供を受けている場合は、ｇｏｕｔｃｏｍ３のコメントである「尿酸値が高い方向けの○○食材サービス」は除外される。このため、個々のユーザの嗜好や状況に応じた最適なアドバイスを与えることが可能になる。
【００９６】
なお、ユーザの嗜好を考慮する他の例としては、例えば、図１２の画面においてユーザが「筋トレ」を「きらい」であると意思表示している場合であって、複数のスポーツジムに関するアドバイスが存在する場合には筋トレ中心でないスポーツジムをアドバイスとして提示する。また、図８に示す画面において入力されたユーザの住所を参照し、スポーツジムの施設がユーザが居住する地域に存在しない場合には除外することも可能である。さらに、図１０に示す画面において入力された情報を参照してユーザのストレス状態を判定し、ストレスが溜まっていないと判断した場合には、「ストレスを解消する。」等のアドバイスは除外する。
【００９７】
ステップＳ４６：ＣＰＵ１０ａは、ステップＳ４５で取得したアドバイス情報をユーザ端末装置３０に送信する。
【００９８】
ステップＳ４７：ユーザ端末装置３０のＣＰＵ３０ａは、制御サーバ装置１０から受信したアドバイス情報を表示装置３０ｈに表示する。
【００９９】
図２０は、このとき表示装置３０ｈに表示される情報の一例を示す図である。この例では、枠２２０が表示され、枠２２０内の最上部にはタイトル２２１として「判定結果」が表示されている。その下には、アドバイス情報としてのメッセージ２２２〜２３０が表示され、最下部にはボタン２３１，２３２が表示されている。
【０１００】
ここで、メッセージ２２２〜２２６は、痛風に関するアドバイスである。メッセージ２２２としては図１６に示すｇｏｕｔａｌａｒｔにより表示された「要注意事項：尿酸値が少し高いです。痛風になる可能性が高いです（危険レベル２）」が表示され、尿酸値が高いことから、痛風になる危険レベルが“２”であることが示されている。メッセージ２２３としては、図１６に示すｇｏｕｔａｄｖにより表示された「アドバイス：尿酸値が高いです。以下のサイトを参照して尿酸値を下げて下さい。」が表示されている。メッセージ２２４としては、ｇｏｕｔｃｏｍ１によって表示された「関連サイト：尿酸値が高い方へ沖縄特産××もずく」が表示されている。なお、下線部分は、図１９に示すＵＲＬ「www.mozoku.com」にリンクが張られているので、この部分を操作することにより、当該ＨＰが表示装置３０ｈに表示されることになる。
【０１０１】
メッセージ２２５としてはｇｏｕｔｃｏｍ２によって表示された「関連サイト：運動不足解消に□□ジム」が表示されている。なお、下線部分は、図１９に示すＵＲＬ「www.gym1.com」にリンクが張られているので、この部分を操作することにより、当該ＨＰが表示装置３０ｈに表示される。メッセージ２２６としてはｇｏｕｔｃｏｍ３によって表示された「関連サイト：尿酸値が高い方向けの○○食材サービス」が表示されている。なお、下線部分は、例えば、図１９に示すＵＲＬ「www.syokuzai.com」にリンクが張られているので、この部分を操作することにより、当該ＨＰが表示装置３０ｈに表示される。
【０１０２】
メッセージ２２７〜２３０は、ストレスに関するアドバイスである。メッセージ２２７としては「要注意事項：ストレスが溜まっています。（危険レベル１）」が表示されており、運動不足であり、その危険レベルが“１”であることが示されている。メッセージ２２８としては、「アドバイス：たまには外出して気分転換を図りましょう。」が表示されている。メッセージ２２９としては、「関連サイト：気分をリフレッシュするための○×温泉」が表示されている。なお、下線部分は、○×温泉のＨＰにリンクが張られており、この部分を操作することにより、当該ＨＰが表示装置３０ｈに表示される。メッセージ２３０としては、「関連サイト：ヒーリングミュージック専門△△レコード」が表示されている。なお、下線部分は、△△レコードのＨＰにリンクが張られており、この部分を操作することにより、当該ＨＰが表示装置３０ｈに表示される。
【０１０３】
なお、図２０に示すアドバイス情報に示されるＨＰにユーザがアクセスし、当該ＨＰで扱っている商品または役務について売買が成立した場合には、一定額（例えば、売り上げに応じた所定の額）のマージンを、健康管理システムの運営者が徴収するようにしてもよい。また、アドバイス情報に掲載する契約をする際に、一定額を徴収するようにすることも可能である。さらに、図１５に示す画面において、リンク部分が操作された場合に、一定額を課金するようにしてもよい。
【０１０４】
また、危険レベルが所定のレベル以上である場合には、例えば、医療機関のＨＰを表示し、当該ＨＰにおいて診察の予約ができるようにしたり、カウンセラーを紹介して個別相談が受けられるようにしたりしてもよい。そのような実施の形態によれば、早期に適切な処置等を受けることが可能になるので、疾病に罹患することを未然に防ぐことが可能になる。
【０１０５】
また、個人情報に変化があった場合（例えば、体重が増減した場合または検診結果が変化した場合）には、以前の判定結果と比較が可能な形式にて表示することも可能である。例えば、痛風の危険レベルがどのように時間の経過とともに変化しているかを表示するようにしてもよい。そのような実施の形態によれば、ユーザは、自己の健康状態の経時的な変化を知ることにより、主体的に健康管理を行うように促すことが可能になる。
【０１０６】
つぎに、処理ロジックＤＢ１１ｄ４に格納されている情報を変更する際の動作について説明する。なお、以下において「変更」とは、内容の「追加」、「修正」、「削除」を含むものとする。
【０１０７】
図２１は、管理者端末装置３１からＤＢサーバ装置１１に格納されている処理ロジックＤＢ１１ｄ４の内容を変更する場合の処理の流れを説明するフローチャートである。このフローチャートの処理が開始されると、以下のステップが実行される。
【０１０８】
ステップＳ６０：管理者端末装置３１のＣＰＵ３１ａは、管理者として制御サーバ装置１０にログインする。このとき、管理者端末装置３１は、管理者権限を有することを示す情報（例えば、管理者ＩＤおよびパスワード）を制御サーバ装置１０に対して送信する。
【０１０９】
ステップＳ６１：制御サーバ装置１０のＣＰＵ１０ａは、管理者のログインを受け付ける。すなわち、ＣＰＵ１０ａは、管理者端末装置３１から送信されてきた管理者ＩＤおよびパスワードを受信する。
【０１１０】
ステップＳ６２：ＣＰＵ１０ａは、ステップＳ６１において受信した管理者ＩＤとパスワードを参照し、正規の管理者であるか否かを判定し、正規の管理者である場合にはステップＳ６３に進み、それ以外の場合にはステップＳ６０に戻る。
【０１１１】
ステップＳ６３：ＣＰＵ１０ａは、管理者が様々な管理を行うための画面である管理用画面を生成し、管理者端末装置３１に送信する。
【０１１２】
ステップＳ６４：ＣＰＵ３１ａは、制御サーバ装置１０から送信されてきた管理用画面を表示装置３１ｈに表示する。
【０１１３】
ステップＳ６５：ＣＰＵ３１ａは、ステップＳ６４において表示された管理用画面において、処理ロジックを変更するメニュー項目が選択された場合には処理ロジックの変更を制御サーバ装置１０に対して要求してステップＳ６６に進み、それ以外の場合には同様の処理を繰り返す。
【０１１４】
ステップＳ６６：ＣＰＵ１０ａは、処理ロジックをアップロードするための画面であるアップロード画面を生成し、管理者端末装置３１に対して送信する。その結果、管理者端末装置３１の表示装置３１ｈには、アップロード画面が表示される。
【０１１５】
ステップＳ６７：ＣＰＵ３１ａは、表示装置３１ｈに表示されたアップロード画面においてアップロードファイルの指定を受ける。ここで、アップロードファイルとは、処理ロジックの一部または全てを含むファイルであり、処理ロジックの一部だけを変更したり、全てを変更したりするためのファイルである。処理ロジックの容量が大きい場合には、一部（例えば、図１６に示すテーブル全体もしくはその一部）のみを独立に変更可能とすることにより、ファイルのアップロードに要する時間を短縮することができる。
【０１１６】
ステップＳ６８：ＣＰＵ１０ａは、ステップＳ６７において指定されたアップロードファイルを受信する。
【０１１７】
ステップＳ６９：ＣＰＵ１０ａは、ステップＳ６８において受信したアップロードファイルにより、処理ロジックＤＢ１１ｄ４の全てまたは該当部分を更新する処理を実行する。
【０１１８】
ステップＳ７０：ＣＰＵ１０ａは、処理ロジックＤＢ１１ｄ４の更新された内容を示す更新確認画面を生成し、管理者端末装置３１に送信する。
【０１１９】
ステップＳ７１：ＣＰＵ３１ａは、制御サーバ装置１０から送信されてきた更新確認画面を表示するための情報を受信し、表示装置３１ｈに表示する。そして、処理を終了する。なお、更新が正常に行われていない場合には、ステップＳ６７に戻って同様の処理を繰り返すようにしてもよい。
【０１２０】
つぎに、アドバイスＤＢ１１ｄ５に格納されている情報を変更する際の動作について説明する。なお、以下において「変更」とは、前述の場合と同様に内容の「追加」、「修正」、「削除」を含むものとする。
【０１２１】
図２２は、管理者端末装置３１からＤＢサーバ装置１１に格納されているアドバイスＤＢ１１ｄ５の内容を変更する場合の処理の流れを説明するフローチャートである。このフローチャートの処理が開始されると、以下のステップが実行される。
【０１２２】
ステップＳ８０：管理者端末装置３１のＣＰＵ３１ａは、管理者として制御サーバ装置１０にログインする。このとき、管理者端末装置３１は、管理者権限を有することを示す情報（例えば、管理者ＩＤおよびパスワード）を制御サーバ装置１０に対して送信する。
【０１２３】
ステップＳ８１：制御サーバ装置１０のＣＰＵ１０ａは、管理者のログインを受け付ける。すなわち、ＣＰＵ１０ａは、管理者端末装置３１から送信されてきた管理者ＩＤおよびパスワードを受信する。
【０１２４】
ステップＳ８２：ＣＰＵ１０ａは、ステップＳ８１において受信した管理者ＩＤとパスワードを参照し、正規の管理者であるか否かを判定し、正規の管理者である場合にはステップＳ８３に進み、それ以外の場合にはステップＳ８０に戻る。
【０１２５】
ステップＳ８３：ＣＰＵ１０ａは、管理者が様々な管理を行うための画面である管理用画面を生成し、管理者端末装置３１に送信する。
【０１２６】
ステップＳ８４：ＣＰＵ３１ａは、制御サーバ装置１０から送信されてきた管理用画面を表示装置３１ｈに表示する。
【０１２７】
ステップＳ８５：ＣＰＵ３１ａは、ステップＳ８４において表示された管理用画面において、アドバイス情報を変更するメニュー項目が選択された場合にはアドバイス情報の変更を制御サーバ装置１０に対して要求してステップＳ８６に進み、それ以外の場合には同様の処理を繰り返す。
【０１２８】
ステップＳ８６：ＣＰＵ１０ａは、アドバイス情報をアップロードするための画面であるアップロード画面を生成し、管理者端末装置３１に対して送信する。その結果、管理者端末装置３１の表示装置３１ｈには、アップロード画面が表示される。
【０１２９】
ステップＳ８７：ＣＰＵ３１ａは、表示装置３１ｈに表示されたアップロード画面においてアップロードファイルの指定を受ける。ここで、アップロードファイルとは、アドバイス情報の一部または全てを含むファイルであり、アドバイス情報の一部だけを変更したり、全てを変更したりするためのファイルである。アドバイス情報の容量が大きい場合には、一部（例えば、図１７に示すテーブル全体もしくはその一部）のみを独立に変更可能とすることにより、ファイルのアップロードに要する時間を短縮することができる。
【０１３０】
ステップＳ８８：ＣＰＵ１０ａは、ステップＳ８７において指定されたアップロードファイルを受信する。
【０１３１】
ステップＳ８９：ＣＰＵ１０ａは、ステップＳ８８において受信したアップロードファイルにより、アドバイスＤＢ１１ｄ５の全てまたは該当部分を更新する処理を実行する。
【０１３２】
ステップＳ９０：ＣＰＵ１０ａは、アドバイスＤＢ１１ｄ５の更新された内容を示す更新確認画面を生成し、管理者端末装置３１に送信する。
【０１３３】
ステップＳ９１：ＣＰＵ３１ａは、制御サーバ装置１０から送信されてきた更新確認画面を表示するための情報を受信し、表示装置３１ｈに表示する。そして、処理を終了する。なお、更新が正常に行われていない場合には、ステップＳ８７に戻って同様の処理を繰り返すようにしてもよい。
【０１３４】
つぎに、問診項目ＤＢ１１ｄ１および回答方式ＤＢ１１ｄ２に格納されている情報を変更する際の動作について説明する。なお、以下において「変更」とは、前述の場合と同様に内容の「追加」、「修正」、「削除」を含むものとする。
【０１３５】
図２３は、管理者端末装置３１からＤＢサーバ装置１１に格納されている問診項目ＤＢ１１ｄ１および回答方式ＤＢ１１ｄ２の内容を変更する場合の処理の流れを説明するフローチャートである。このフローチャートの処理が開始されると、以下のステップが実行される。
【０１３６】
ステップＳ１００：管理者端末装置３１のＣＰＵ３１ａは、管理者として制御サーバ装置１０にログインする。このとき、管理者端末装置３１は、管理者権限を有することを示す情報（例えば、管理者ＩＤおよびパスワード）を制御サーバ装置１０に対して送信する。
【０１３７】
ステップＳ１０１：制御サーバ装置１０のＣＰＵ１０ａは、管理者のログインを受け付ける。すなわち、ＣＰＵ１０ａは、管理者端末装置３１から送信されてきた管理者ＩＤおよびパスワードを受信する。
【０１３８】
ステップＳ１０２：ＣＰＵ１０ａは、ステップＳ１０１において受信した管理者ＩＤとパスワードを参照し、正規の管理者であるか否かを判定し、正規の管理者である場合にはステップＳ１０３に進み、それ以外の場合にはステップＳ１００に戻る。
【０１３９】
ステップＳ１０３：ＣＰＵ１０ａは、管理者が様々な管理を行うための画面である管理用画面を生成し、管理者端末装置３１に送信する。
【０１４０】
ステップＳ１０４：ＣＰＵ３１ａは、制御サーバ装置１０から送信されてきた管理用画面を表示装置３１ｈに表示する。
【０１４１】
ステップＳ１０５：ＣＰＵ３１ａは、ステップＳ１０４において表示された管理用画面において、問診項目および回答方式を変更するメニュー項目が選択された場合には問診項目および回答方式の変更を制御サーバ装置１０に対して要求してステップＳ１０６に進み、それ以外の場合には同様の処理を繰り返す。
【０１４２】
ステップＳ１０６：ＣＰＵ１０ａは、問診項目および回答方式をアップロードするための画面であるアップロード画面を生成し、管理者端末装置３１に対して送信する。その結果、管理者端末装置３１の表示装置３１ｈには、アップロード画面が表示される。
【０１４３】
ステップＳ１０７：ＣＰＵ３１ａは、表示装置３１ｈに表示されたアップロード画面においてアップロードファイルの指定を受ける。ここで、アップロードファイルとは、問診項目および回答方式のそれぞれの一部または全てを含むファイルであり、問診項目および回答方式のそれぞれの一部だけを変更したり、全てを変更したりするためのファイルである。問診項目および回答方式に関する情報の容量が大きい場合には、一部（例えば、図６，７に示すテーブルの全部または一部）のみを独立に変更可能とすることにより、ファイルのアップロードに要する時間を短縮することができる。なお、問診項目とは、図８〜１０に示す各質問のそれぞれをいい、また、回答方式とは、例えば、ラジオボタン群による選択方式か、または、テキストボックスによる入力方式かを示す。
【０１４４】
ステップＳ１０８：ＣＰＵ１０ａは、ステップＳ１０７において指定されたアップロードファイルを受信する。
【０１４５】
ステップＳ１０９：ＣＰＵ１０ａは、ステップＳ１０８において受信したアップロードファイルにより、問診項目ＤＢ１１ｄ１および回答方式ＤＢ１１ｄ２のそれぞれの全てまたは該当部分を更新する処理を実行する。
【０１４６】
ステップＳ１１０：ＣＰＵ１０ａは、問診項目ＤＢ１１ｄ１および回答方式ＤＢ１１ｄ２のそれぞれの更新された内容を示す更新確認画面を生成し、管理者端末装置３１に送信する。
【０１４７】
ステップＳ１１１：ＣＰＵ３１ａは、制御サーバ装置１０から送信されてきた更新確認画面を表示するための情報を受信し、表示装置３１ｈに表示する。そして、処理を終了する。なお、更新が正常に行われていない場合には、ステップＳ１０７に戻って同様の処理を繰り返すようにしてもよい。
【０１４８】
図２１〜２３を参照して説明したように、本実施の形態では、問診項目ＤＢ１１ｄ１、回答方式ＤＢ１１ｄ２、処理ロジックＤＢ１１ｄ４、および、アドバイスＤＢ１１ｄ５の内容を部分的または全体として変更できるようにしたので、管理者は必要に応じてこれらのデータベースの内容を簡易に変更することが可能になる。このように、データベースの情報を変更しなければならない理由は、医学や栄養学の分野は、日々新たな発見がなされるため、その新たな発見に基づいて適切なアドバイス等を行うためである。また、部分的に変更することが可能としたので、デバッグの時間およびシステムを運用停止する時間を短縮することが可能になる。
【０１４９】
また、本実施の形態では、図６および図７に示す表形式のデータにより、問診画面を表示するようにしたので、問診項目を簡単に追加したり変更したりすることが可能になる。このため、高度な知識を有するプログラマでなくても問診項目を簡単に変更することができる。また、問診画面については、例えば、性別、年齢層、職業等に応じて、複数の画面を用意することが望ましいが、表形式のデータによって表現されることから、これら複数の画面を簡単に生成することが可能になる。
【０１５０】
また、本実施の形態では、図１６および図１７に示す表形式のデータにより、ユーザの個人情報を解析してアドバイスを行うようにしたので、医学または栄養学の進歩に応じて判断の基準またはアドバイスの内容を簡単に変更することが可能になる。また、前述の場合と同様に、このような表形式のデータであれば、高度な知識を有するプログラマでなくても、維持管理を行うことが可能になるので、例えば、プログラムについての知識は有していないが、栄養学または医学に関する高度な知識を有する者に管理を依頼することができるので、対象となる人材の裾野を広げ、よりよいシステム運営を行うことができる。
【０１５１】
なお、上述の実施の形態は、本発明の好適な例であるが、本発明は、これらに限定されるものではなく、本発明の要旨を逸脱しない範囲において、種々の変形、変更が可能である。
【０１５２】
例えば、以上の実施の形態では、図２０に示す画面において、関連するサイトへのリンクが張られたメッセージを表示するようにしたが、例えば、関連するサイトへユーザの特定情報を送り、当該サイトからユーザへダイレクトメール（電子メールまたは郵送のメール）が届くようにすることも可能である。
【０１５３】
また、以上の実施の形態では、アドバイス情報に含まれる関連ＨＰについては、管理者が追加するようにしているが、例えば、関連ＨＰへの掲載希望者が所定の手続きを自ら行うことにより、追加できるようにしてもよい。
【０１５４】
また、以上の実施の形態では、制御サーバ装置１０とＤＢサーバ装置１１とを別の構成としたが、これらを１つのサーバ装置として構成することも可能であることはいうまでもない。
【０１５５】
また、以上の実施の形態では、制御サーバ装置１０およびＤＢサーバ装置１１により個人情報を処理して、処理結果をユーザ端末装置３０に送るようにしたが、必要に応じてプログラムやデータをユーザ端末装置３０に供給し、ユーザ端末装置３０において処理を行って処理結果をユーザに呈示するようにしてもよい。
【０１５６】
また、以上の実施の形態では、個人情報は、表示装置３０ｈに表示された情報を参照し、キーボードまたはマウス等の入力装置を操作することにより入力するようにしたが、例えば、動画および音声による説明をユーザ端末装置３０から出力し、ユーザの発話から音声認識機能等を利用して必要な情報を取得することも可能である。そのような実施の形態によれば、キーボード等の操作になれていない人でも必要な情報を確実に入力することが可能になる。
【０１５７】
また、以上の各実施の形態では、ユーザ端末装置３０をパーソナルコンピュータとして実施する場合を例に挙げて説明したが、例えば、携帯電話、ＰＤＡ（Personal Digital Assistant）として実施することも可能であることはいうまでもない。
【０１５８】
なお、上記の処理機能は、例えば、図１に示すようなコンピュータによって実現される。その場合、健康管理支援装置が有すべき機能の処理内容を記述したプログラムが提供される。そのプログラムをコンピュータで実行することにより、処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ、ＣＤ−Ｒ（Recordable）／ＲＷ（Rewritable）などがある。光磁気記録媒体には、ＭＯ（Magneto-Optical disk）などがある。
【０１５９】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１６０】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【産業上の利用可能性】
【０１６１】
本発明は、ユーザの入力に応じた応答情報を呈示する情報呈示装置に利用することができる。
【図面の簡単な説明】
【０１６２】
【図１】本発明の実施の形態に係る健康管理支援システムの構成例を示す図である。
【図２】図１に示す制御サーバ装置の構成例を示すブロック図である。
【図３】図１に示すＤＢサーバ装置の構成例を示すブロック図である。
【図４】図１に示すユーザ端末装置の構成例を示すブロック図である。
【図５】ユーザ端末装置を操作してユーザの個人情報を登録する際の処理の流れの一例を説明するフローチャートである。
【図６】問診項目に関する情報の一例を示す図である。
【図７】回答方式に関する情報の一例を示す図である。
【図８】個人情報入力画面の一例を示す図である。
【図９】個人情報入力画面の一例を示す図である。
【図１０】問診項目に関する情報の一例を示す図である。
【図１１】個人情報入力画面の一例を示す図である。
【図１２】個人情報入力画面の一例を示す図である。
【図１３】個人情報入力画面の一例を示す図である。
【図１４】個人情報の一例を説明するための図である。
【図１５】ユーザ端末装置を操作してユーザ個人のアドバイス情報を得る際の処理の流れの一例を説明するフローチャートである。
【図１６】処理ロジックに関する情報の一例を示す図である。
【図１７】アドバイス情報に関する情報の一例を示す図である。
【図１８】痛風に関する処理の一例を示す図である。
【図１９】リンク情報とＵＲＬとの関係を示す図である。
【図２０】図１２に示す処理が実行された結果、ユーザ端末装置の表示装置に表示される画面の一例を示す図である。
【図２１】管理者端末装置からＤＢサーバ装置の処理ロジックＤＢに格納されている情報を更新する場合の処理の流れを説明するフローチャートである。
【図２２】管理者端末装置からＤＢサーバ装置のアドバイスＤＢに格納されている情報を更新する場合の処理の流れを説明するフローチャートである。
【図２３】管理者端末装置からＤＢサーバ装置の問診項目ＤＢおよび回答方式ＤＢに格納されている情報を更新する場合の処理の流れを説明するフローチャートである。
【符号の説明】
【０１６３】
１０  制御サーバ装置（第１のサーバ装置）
１０ａ  ＣＰＵ（取得手段、処理手段、呈示手段の一部、入力画面表示手段）
１０ｆ  Ｉ／Ｆ（呈示手段の一部）
１１  ＤＢサーバ装置（第２のサーバ装置）
１１ｄ  ＨＤＤ（第１の記憶手段、第２の記憶手段、第３の記憶手段）
３０  ユーザ端末装置
３１  管理者端末装置
３２  医療関係者端末装置
【図１】
2006011494.tif 000003
【図２】
2006011494.tif 000004
【図３】
2006011494.tif 000005
【図４】
2006011494.tif 000006
【図５】
2006011494.tif 000007
【図６】
2006011494.tif 000008
【図７】
2006011494.tif 000009
【図８】
2006011494.tif 000010
【図９】
2006011494.tif 000011
【図１０】
2006011494.tif 000012
【図１１】
2006011494.tif 000013
【図１２】
2006011494.tif 000014
【図１３】
2006011494.tif 000015
【図１４】
2006011494.tif 000016
【図１５】
2006011494.tif 000017
【図１６】
2006011494.tif 000018
【図１７】
2006011494.tif 000019
【図１８】
2006011494.tif 000020
【図１９】
2006011494.tif 000021
【図２０】
2006011494.tif 000022
【図２１】
2006011494.tif 000023
【図２２】
2006011494.tif 000024
【図２３】
2006011494.tif 000025